(57)【要約】【課題】印刷パターン上に凹凸を形成することによって印刷パターンとの間にモアレを生成させ、正面からの観察状態では視認できない文字や図柄などのパターンを所定の角度から観察することによって視認できる印刷物を提供する。【解決手段】前記課題の目的を達成するために、有色で同一ピッチの万線で構成された第１のパターンと、前記第１のパターンの少なくとも１部を共有するように第２のパターンが形成された印刷物において、前記第２のパターンは万線状の画素で構成され、所定の角度で形成された図柄パターンと当該図柄パターンと異なる角度で形成された背景パターンで構成される潜像パターンを有する印刷物を提供する。【選択図】　図１
2004106313.tif 000002
【特許請求の範囲】
【請求項１】
有色で同一ピッチの万線で構成された第１のパターンと、前記第１のパターンの少なくとも１部を共有するように第２のパターンが形成された印刷物において、
前記第２のパターンは万線状の画素で構成され、所定の角度で形成された図柄パターンと当該図柄パターンと異なる角度で形成された背景パターンで構成されていることを特徴とする潜像パターンを有する印刷物。
【請求項２】
請求項１に記載の潜像パターンを有する印刷物において、第１のパターンは印刷によって形成され、第２のパターンはエンボスにより形成されることを特徴とする潜像パターンを有する印刷物の作製方法。
【請求項３】
請求項１に記載の潜像パターンを有する印刷物において、第２のパターンは、不透明で乱反射面を有する材料により凸状に形成され、第１のパターンは、第２のパターンの表面に印刷によって形成されることを特徴とする潜像パターンを有する印刷物の作製方法。
【発明の詳細な説明】
【０００１】
【発明の属する技術分野】
本発明は、凹凸によって印刷パターンとの間にモアレを生成させ、正面からの観察状態では視認できない文字や図柄などのパターンが所定の角度から観察することによって視認可能となる印刷物に関する。
【０００２】
【従来の技術】
通常の状態では視認できないパターンを、特定の条件を指定することによって視認可能とする技術に関して各種開示されている。
上記開示技術は、生成されるパターンを潜像パターンと称し、偽造防止手段として提供している（例えば特許文献１参照）。
前記特許文献１に記載の手法によれば、万線状のパターンを凹版印刷方式で印刷し、その上に若干位置をずらして凹版インキと非親和性のオフセットインキによって重ね刷りする方法によって、印刷されたものを傾けるとオフセット印刷方式で印刷した部分が凹版印刷方式で印刷した部分の影になって視認できなくなり、前述の通常の状態では視認できないパターンを、特定の条件を指定することによって視認可能とする技術として開示している。
前記技術は、凹版印刷技術を使用するために特殊な紙質を必要とすること、凹版印刷方式であるために印刷スピードが遅い、凹版印刷インキが高価であるなどの欠点が有った。
【０００３】
【特許文献１】
特開平２−１２７０７８号公報
【０００４】
【発明が解決しようとする課題】
本発明は、印刷パターン上に凹凸を形成することによって印刷パターンとの間にモアレを生成させ、正面からの観察状態では視認できない文字や図柄などのパターンを所定の角度から観察することによって視認できる印刷物を提供するものである。
【０００５】
【課題を解決するための手段】
前記課題の目的を達成するために、本発明の潜像パターンを有する印刷物の請求項１に記載の発明は、有色で同一ピッチの万線で構成された第１のパターンと、前記第１のパターンの少なくとも１部を共有するように第２のパターンが形成された印刷物において、前記第２のパターンは万線状の画素で構成され、所定の角度で形成された図柄パターンと当該図柄パターンと異なる角度で形成された背景パターンで構成されていることを特徴とするものである。
【０００６】
また、請求項２に記載の発明の潜像パターンを有する印刷物の作製方法は、請求項１に記載の潜像パターンを有する印刷物において、第１のパターンは印刷によって形成され、第２のパターンはエンボスにより形成されることを特徴とするものである。
【０００７】
また、請求項３に記載の発明の潜像パターンを有する印刷物の作製方法は、請求項１に記載の潜像パターンを有する印刷物において、第２のパターンは、不透明で乱反射面を有する材料により凸状に形成され、第１のパターンは、第２のパターンの表面に印刷によって形成されることを特徴とするものである。
【０００８】
【発明の実施の形態】
以下、図面を参照して本発明の潜像パターンを有する印刷物及びその作製方法について説明する。
図１は、本発明の潜像パターンを有する印刷物の第１の実施形態について説明するための図、図２は、本発明の潜像パターンを有する印刷物の第２の実施形態について説明するための図、図３は、図１のｂ図の一部平面拡大図、図４は、図２のｄ図の一部平面拡大図、図５は、図１のａ図のＡ−Ａ線断面図の一施形態、図６は、図１のａ図のＡ−Ａ線断面図の一施形態、図７は、本発明の潜像パターンを有する印刷物の製造手順の一実施形態、図８は、本発明の潜像パターンを有する印刷物の製造手順の一施形態についての説明図である。
【０００９】
図１を参照して、本発明の潜像パターンを有する印刷物の、第１のパターンの万線のピッチと、第２のパターンのピッチが異なっている場合の第１の実施形態について説明する。
本発明で“万線”とは、“ある幅を持たせた直線をその幅の２〜３倍のピッチで複数本並べた平行線の集まり”という意味である。
図１で示す凹凸状のパターン（以下第２のパターンという。）３ａは、万線状の画素で構成されており、そのピッチ３０ａは、印刷万線パターン（以下第１のパターンという。）２ａのピッチの１．５倍になっている。
第２のパターン３ａは、図柄パターン３−１ａと、背景パターン３−２ａで構成されている。
図１において、図柄パターン３−１ａと、背景パターン３−２ａを構成する万線状の平行線群は互いに交差することなく、角度が９０度異なっている。
また、図柄パターン３−１ａと、背景パターン３−２ａを構成する万線状のパターンのピッチは、図１では同一となっているが、同一であっても異なっていても良い。
【００１０】
第２のパターン３ａは、有色インキで印刷されている第１のパターン２ａに重ねて形成される（ｂ図参照）。
図１に示すａ図、ｂ図の第２のパターンは、説明し易いように着色しているが実際は、無色の万線状凹凸の集合で、第１のパターンである印刷万線パターン２ａの真上（正面）から見た場合、印刷万線パターン２ａだけが見える状態になっている。
【００１１】
図１、ａ図に示す第１の実施形態は、第２のパターン３ａを構成している図柄パターン３−１ａの万線状パターンと、第１のパターン２ａの角度が何れも０度で、図柄パターン３−１ａと、第１のパターンが平行な状態となっている。
第１のパターンと、第２のパターンの万線のピッチは半ピッチ異なっているために、図示しないが、第２のパターンを構成する図柄パターンの最初の凸部と第１のパターンの万線の最初の線が一致しているとすると、第２のパターンの４つ目の凸部に対して、第１のパターンの６番目の線が重なる。
【００１２】
図２を参照して、第１のパターンの万線のピッチと、第２のパターンの図柄パターンの凹凸のピッチが同一の場合の、第２の実施形態について説明する。
図２において、ｃ図に示す第２のパターン３ｃは、万線状の画素で構成されており、そのピッチ３０ｃは、第１のパターン２ｃのピッチと同一ピッチになっている。第２のパターン３ｃは、有色インキで印刷されている第１のパターン２ｃに重ねて形成される。
図２に示すｃ図、ｄ図の第２のパターンは、説明し易いように着色しているが実際は無色の集合で、第１のパターンである印刷万線パターン２ｃの真上（正面）から見た場合、印刷万線パターン２ｃだけが見える状態になっている。
【００１３】
ｃ図の第２のパターン３ｃは、図１におけるａ図と同様図柄パターンと、背景パターンで構成されている。
図２において、図柄パターンと、背景パターンを構成する万線状の平行線群は互いに交差することなく、９０度異なった状態で形成されている。
また、図２においては、図柄パターンと、背景パターンを構成する万線は、図１の場合と同様、同一ピッチで表示しているが、ピッチは同一であっても異なっていても良い。
図２において、第１のパターンと、第２のパターンの図柄パターンを構成する万線のピッチは同一ピッチとなっているために、図示しないが第２のパターンを構成する最初の凸部と、２つ目の凸部に対して、第１のパターンの印刷された万線の線、または、白抜けの部分が重なる。
ｃ図では、図柄パターンであるＸＹＺの凸部が、第１のパターンの有色の線の部分に重なっている。
【００１４】
ｄ図は、ｃ図と異なり、図柄パターンであるＸＹＺの凸部が、第１のパターンのスペースの部分に重なった状態になっている。
後述するが、ｄ図の状態では印刷物を傾けても第１のパターンが印刷された印刷色で潜像が視認できないのであるが、背景パターンで縁取りされているために、印刷基体の色で図柄パターンを視認することが可能になる。
【００１５】
図３を参照して、図１のｂ図の一部を拡大した状態について説明する。
図１の印刷による有色の第１のパターン２ａと、潜像を生成する第２のパターン３ａが形成された印刷物の平面の一部を切り取って拡大すると図３のような状態になっている。
第２のパターンは凹凸状になっていて、横線で表示されている図柄パターンと、縦線で表示されている背景パターンで構成されている。
図において、白抜きの１点鎖線で示す部分が図柄パターンの凸部３２ｂで、点線で示す部分が図柄パターンの凹部３１ｂである。
図３の場合は、第１のパターンの万線の線の間隔と、第２のパターンを構成する図柄パターンの凸部（または凹部）の間隔が、１対１．５になっているために、第１のパターンの１本目の線と、図柄パターンの最初の凸部が一致した後は、第１のパターンの６本目の線と、図柄パターンの４本目凸部が一致する。
このような状態を矢印５で示す方向から観察した場合に、潜像生成エリア４ｂに示すように観察され、横方向の３本の万線が視認される。
第２のパターンを構成する背景パターンは、本実施形態の場合は、第１のパターン及び図柄パターンと９０度異なって形成されているために、図３に示すように点として表示され視認されない。
図示していないが、第２のパターンを構成する背景パターンが第１のパターン、または、図柄パターンと、小さい角度、例えば、１〜５度程度の角度で形成された場合は、第１のパターンとの間でモアレが生成され、図柄パターンの周囲が背景パターンに縁取りされたように視認される。
【００１６】
図４を参照して、図２の第１のパターン２ｃの部分に、潜像パターン３ｃが形成された印刷物の平面の一部を拡大した状態について説明する。
第２のパターンは凹凸状に形成されている。第２のパターンを構成する図柄パターンの凸部３２ｄは、白抜きの１点鎖線で示し、凹部３１ｄは点線で示している。
また、背景パターンによる凹凸の凸部（または凹部）３−２ｄが図柄パターンに対して９０度の角度で形成されている。
第１のパターンと、図柄パターンは、万線の線の間隔と、凹凸の凹部（または、凸部）の間隔が１対１になっているために、第１のパターンの１本目の線と、図柄パターンの最初の凹部が一致した後は、第１のパターンの２本目以外の線と、図柄パターンの２本目以外の凹部で一致する。
このような状態を矢印５で示す方向から観察した場合に、潜像生成エリア４ｄに示すように視認され、第１のパターンの万線２０は、第２のパターンの図柄パターンの凸部に隠されて１本も視認されない。
第２のパターンを構成する背景パターン（３−２ｄ）は、本実施形態の場合は前述のように第１のパターン、または、図柄パターンと９０度の角度で形成されているために、図４の潜像生成エリア４ｄに示すように、微かな点として表示される。
図示していないが、背景パターンが第１のパターン、または、図柄パターンと２〜１０度程度の角度で形成された場合は、第１のパターンとの間でモアレが生成され、図柄パターンが背景パターンに縁取りされたように視認される。
【００１７】
図５、図６を参照して、図１のＡ−Ａ線断面について説明する。
図５に示すＡ−Ａ線断面図は、図７で説明する第２のパターンがエンボスで形成された場合である。
また、図６に示すＡ−Ａ線断面図は、図８で説明する第２のパターンが印刷などの方法で形成された場合である。
【００１８】
図５に示すように、第２のパターン３をエンボスによって形成する場合には、印刷基体１の裏面（図の下部）から印刷基体１を加圧して印刷基体１の表面（図の上部）に凸部３２を形成する。印刷基体おもて面が凸部３２を形成している場合は、凸部に相当する裏面は、凹部を形成し、逆に凹部３１を形成する場合は、裏面は凸部を形成している。
このように物理的に凹凸を形成する場合、凸部形成のための凹部を有する金型と加圧するための凸状の金型、または、凹部を有する金型と印刷基体を前記凹部に押し付けるためのクッション材によって形成する。
【００１９】
図６に示すように、第２のパターン３を印刷などの方法によって形成する場合には、印刷基体１の表面に、熱または光によって硬化する材料、または、加熱によって発泡する材料を印刷によって形成し、熱、または、光処理を行い凸部３２０を形成する。
このような方法で凹凸が形成された場合は、印刷基体１の裏面には凹凸は無く平らな状態になっている。
【００２０】
図７を参照して本発明の潜像パターンを有する印刷物の製造手順の一実施形態について説明する。
まず、第１のパターンを作製するために、万線スクリーンと未露光の製版用フィルムを密着させて実線幅とスペースの幅が１対２となるように万線スクリーン側から露光し、万線パターン原版を作製する。
最初のステップ（以下Ｓという。）で、前述の万線パターン原版を製版カメラにセットし、第２のパターンとの関連で所定の大きさに拡大撮影する（Ｓ８１）。
次に、万線以外の印刷絵柄の版を作製する（Ｓ８２）。
Ｓ８１で作製した万線パターンと、Ｓ８２で作製した印刷絵柄の分色版の中の万線と同一色で印刷する絵柄と万線を１つの版にするために合成し、合成原版を作製する（Ｓ８３）。
合成原版を印刷紙の大きさに応じて多面露光を行い、印刷用の版である刷版を作製する（Ｓ８４）。
万線、その他の印刷部分を印刷し印刷物を作製し（Ｓ８５）、保管する。
【００２１】
次に、第２のパターンを作製する。
第２のパターンは、潜像生成パターンで、文字パターンの場合や、絵柄パターンの場合がある。
前述の第１のパターンとの関連でピッチを決める。通常、第２のパターンのピッチを第１のパターンのピッチよりも広くする。
第２のパターンを構成する図柄パターンと、背景パターンを別々に作成し、２つを合成する。
第２のパターンは、第１のパターン上に金属の押し型を使用してエンボス方式で凹凸を形成する。そのために金属の押し型を作製するためのエッチング原版を作製する（Ｓ８６）。
エッチングにより凹版を作製して印刷による第１のパターンをその凹んだ部分に押し当ててエンボスによる凸部を形成する。
第２のパターン作製のための金型作製方法として、機械的に溝を形成する場合もあり、切削方式によって作製する。いずれにしても第２のパターン作製用の押し型を作製する（Ｓ８７）。
【００２２】
エンボスマシンに第２のパターンの押し型を取り付け、Ｓ８５で作製保管していた印刷物に第２のパターン加工を行う（Ｓ８８）。
印刷物を所定の大きさに断裁し一枚の潜像パターンを有する印刷物を作製する（Ｓ８９）。
潜像パターンを有する印刷物を作製する。
予め第１のパターンを有する１枚の印刷物に仕上げた後エンボス加工を行っても良い。
【００２３】
図８を参照して本発明の潜像パターンを有する印刷物製造手順の、他の実施形態例についての説明する。
まず、第２のパターンを作製する。
第２のパターンには文字パターンや、絵柄パターンがある。
更に、第２のパターンは図柄パターンと背景パターンに分けられる。
前述の実施形態の場合と同様、第１のパターンとの関連で第２のパターンの線分間のピッチを決める。
まず、万線スクリーンと未露光の製版用フィルムを密着させて実線幅とスペースの幅が１対２となるように万線スクリーン側から露光し、万線パターン原版を作製する（Ｓ９１）。得られた万線パターン原版から、図柄パターンと、背景パターンの万線原版を作成し合成する。この万線原版は万線スクリーンのピッチになっている。
得られた万線パターン原版を製版カメラを使用し、所定の大きさに拡大して印刷版作製原版を作製する（Ｓ９２）。
本実施形態では、凹版印刷方式によって第２パターンを形成するため、多面付け凹版を作製する（Ｓ９３）。
【００２４】
次に、印刷物の第１のパターン以外の絵柄や、文字の製版原稿を作製する（Ｓ９４）。
各色の製版原稿からフィルム原版を作製（Ｓ９５）し、印刷用の版である刷版を作製する（Ｓ９６）。
最初に、絵柄を印刷（Ｓ９７）し、次いで、第２のパターンを印刷する（Ｓ９８）。
第２のパターンは、例えば、発泡インキのように熱などを加えることによって不可逆的に発泡し、凸部が形成される材料を使用する。凸部形成材料は、乾燥後不透明の状態になる材料を選定する。
【００２５】
次に、第１のパターンである万線パターンを作製する。
まず、万線パターン原版を万線スクリーンから実線幅とスペースの幅が１対２となるように製版用フィルムに露光し、万線原版を作製する（Ｓ９９）。
得られた万線原版を製版カメラによって所定の大きさに拡大して印刷用原版即ち第１のパターン原版を作製する（Ｓ１００）。
第１のパターン原版を印刷紙の大きさに応じて多面露光し、印刷用の版である刷版を作製する（Ｓ１０１）。
【００２６】
Ｓ９８で作製した印刷物の第２のパターン上に第１のパターンを印刷する（Ｓ１０２）。
印刷物を所定の大きさに断裁し一枚の潜像パターンを有する印刷物を作製する（Ｓ１０３）。
第２のパターンが形成された多面状の印刷物を裁断し、１枚の印刷物にした後で第１のパターンを印刷しても良い。
【００２７】
【発明の効果】
（１）請求項１に記載のように、有色で同一ピッチの万線で構成された第１のパターンと、前記第１のパターンの少なくとも１部を共有するように第２のパターンが形成された印刷物において、第２のパターンは万線状の画素で構成され、所定の角度で形成された図柄パターンと当該図柄パターンと異なる角度で形成された背景パターンで構成されることによって、図柄パターンの周囲に背景パターンによるモアレパターンが生成し、第１のパターンと図柄パターンとの間で明確に潜像が生成されなくても、背景パターンによって縁取られることによって明確な図柄パターンを得ることができる。そのために、印刷物の歩留まりが向上しコストダウンを図ることができる。
また、複雑な潜像パターンによって第２のパターンの偽造を困難とし、得られる潜像を複写機によるコピーで再現することはできない。
（２）請求項２に記載のように、請求項１に記載の第１パターンの部分にエンボス法で第２のパターンを形成することによって印刷物のコストを削減することができる。
（３）請求項３に記載のように、請求項１に記載の第１パターンの部分に印刷法で第２のパターンを形成することによって印刷物に使用する紙を厚紙とすることができるなど、紙質の選択が自由になる。更に、ベースとなる紙などに凹凸を付けることがないために印刷精度が向上し、セキュリティ性の高い潜像パターンを有する印刷物を得ることができる。また、凹凸部分に圧力が加わることによって凹凸の高さが変化しないために第２のパターンの耐久性が向上し品質を長期間維持することができる。
【図面の簡単な説明】
【図１】本発明の潜像パターンを有する印刷物の第１の実施形態について説明するための図
【図２】本発明の潜像パターンを有する印刷物の第２の実施形態について説明するための図
【図３】図１のｂ図の一部平面拡大図
【図４】図２のｄ図の一部平面拡大図
【図５】図１のａ図のＡ−Ａ線断面図の一実施形態
【図６】図１のａ図のＡ−Ａ線断面図の一施形態
【図７】本発明の潜像パターンを有する印刷物の製造手順の一実施形態
【図８】本発明の潜像パターンを有する印刷物の製造手順の一施形態
【符号の説明】
１、１０　潜像パターンを有する印刷物（印刷基体）
２、２０　第１のパターン
３　　　第２のパターン
３−１　図柄パターン
３−２　背景パターン
４　　　潜像パターン表示エリア
５　　　潜像パターン観察方向
３０　　ピッチ
３１，３１０　凹凸の凹部
３２，３２０　凹凸の凸部
【図１】
2004106313.tif 000003
【図２】
2004106313.tif 000004
【図３】
2004106313.tif 000005
【図４】
2004106313.tif 000006
【図５】
2004106313.tif 000007
【図６】
2004106313.tif 000008
【図７】
2004106313.tif 000009
【図８】
2004106313.tif 000010